【手続補正書】
【提出日】平成24年10月23日(2012.10.23)
【手続補正１】
【補正対象書類名】明細書
【補正対象項目名】発明の名称
【補正方法】変更
【補正の内容】
【発明の名称】保持具及び保持具構成部材
【手続補正２】
【補正対象書類名】明細書
【補正対象項目名】０００１
【補正方法】変更
【補正の内容】
【０００１】
本発明は、保持具及び保持具構成部材に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
以上の課題を解決するため、本発明の一の態様によれば、
内側で被保持部材を保持するための保持具であって、
側壁及び該側壁の外側に向けて突出した突出部を有する第一部材と、
底板及び該底板から立設された側板を有し、該側板の前記突出部と対向する位置に前記突出部に係合する開口が形成され、前記第一部材と組み付けられた第二部材とを備え、
前記第一部材の前記側壁の下面と前記第二部材の底板とが互いに当接して押圧し合い、前記開口よりも上方に配置された部分である開口上方部と前記開口との境界をなす縁部に前記突出部の上端面が当接し、且つ前記側板の上端に対して前記側壁と離間した状態となるように、前記第一部材が形成されていて、
前記側壁は、前記底板の法線方向に沿って前記突出部よりも上方に延在するように、前記第一部材が形成されていて、
前記底板及び前記側壁と直交し且つ前記突出部と交わる仮想平面内で、上方に向かうにつれ内側に傾くように、前記側壁の外側面が形成されていることを特徴とする保持具が提供される。
【手続補正５】
【補正対象書類名】明細書
【補正対象項目名】０００８
【補正方法】変更
【補正の内容】
【０００８】
また、上記保持具において好ましくは、前記側壁は前記被保持部材の周側面を取り囲んだ枠状に形成されており、前記側板は前記側壁の外側面を取り囲んでいる。
また、上記保持具において好ましくは、前記底板及び前記側壁と直交し且つ前記突出部と交わらない仮想平面内で、前記側壁の下端部が前記側板の下端部に対して離間した状態となるように、前記第一部材が形成されている。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
また、本発明の他の態様によれば、内側で被保持部材を保持するための保持具を構成する保持具構成用部材であって、
前記保持具構成用部材は側壁及び該側壁の外側に向けて突出した突出部を有し、
底板及び該底板から立設された側板を有し該側板の前記突出部と対向する位置に前記突出部に係合する開口が形成された組付部材に前記保持具構成用部材が組み付けられる際に、
前記保持具構成用部材の前記側壁の下面と前記組付部材の底板とが互いに当接して押圧し合い、前記開口よりも上方に配置された部分である開口上方部と前記開口との境界をなす縁部に前記突出部の上端面が当接し、且つ前記側板の上端に対して前記側壁が離間した状態となるように、前記保持具構成用部材が形成されていて、
前記側壁は、前記底板の法線方向に沿って前記突出部よりも上方に延在するように形成され、
前記底板及び前記側壁と直交し且つ前記突出部と交わる仮想平面内で、上方に向かうにつれ内側に傾くように、前記側壁の外側面が形成されていることを特徴とする保持具構成用部材が提供される。
【手続補正９】
【補正対象書類名】明細書
【補正対象項目名】００１２
【補正方法】変更
【補正の内容】
【００１２】
また、上記保持具構成用部材において好ましくは、前記組付部材に前記保持具構成用部材が組み付けられる際に、前記底板及び前記側壁と直交し且つ前記突出部と交わらない仮想平面内で、前記側板の下端部に対して離間した状態となるように、前記側壁の下端部が形成されている。
また、上記保持具構成用部材において好ましくは、前記組付部材に前記保持具構成用部材が組み付けられる際に、前記底板及び前記側壁と直交し且つ前記突出部と交わる仮想平面内で、前記側板の下端部に対して離間した状態となるように、前記側壁の下端部が形成されている。
【手続補正１０】
【補正対象書類名】特許請求の範囲
【補正対象項目名】全文
【補正方法】変更
【補正の内容】
【特許請求の範囲】
【請求項１】
内側で被保持部材を保持するための保持具であって、
側壁及び該側壁の外側に向けて突出した突出部を有する第一部材と、
底板及び該底板から立設された側板を有し、該側板の前記突出部と対向する位置に前記突出部に係合する開口が形成され、前記第一部材と組み付けられた第二部材とを備え、
前記第一部材の前記側壁の下面と前記第二部材の底板とが互いに当接して押圧し合い、前記開口よりも上方に配置された部分である開口上方部と前記開口との境界をなす縁部に前記突出部の上端面が当接し、且つ前記側板の上端に対して前記側壁と離間した状態となるように、前記第一部材が形成されていて、
前記側壁は、前記底板の法線方向に沿って前記突出部よりも上方に延在するように、前記第一部材が形成されていて、
前記底板及び前記側壁と直交し且つ前記突出部と交わる仮想平面内で、上方に向かうにつれ内側に傾くように、前記側壁の外側面が形成されていることを特徴とする保持具。
【請求項２】
請求項１記載の保持具において、
前記側壁は前記被保持部材の周側面を取り囲んだ枠状に形成されており、
前記側板は前記側壁の外側面を取り囲んでいることを特徴とする保持具。
【請求項３】
請求項１又は２記載の保持具において、
前記底板及び前記側壁と直交し且つ前記突出部と交わらない仮想平面内で、前記側壁の下端部が前記側板の下端部に対して離間した状態となるように、前記第一部材が形成されていることを特徴とする保持具。
【請求項４】
請求項１〜３のいずれか一項に記載の保持具において、
前記底板及び前記側壁と直交し且つ前記突出部と交わる仮想平面内で、前記側壁の下端部が前記側板の下端部に対して離間した状態となるように、前記第一部材が形成されていることを特徴とする保持具。
【請求項５】
内側で被保持部材を保持するための保持具を構成する保持具構成用部材であって、
前記保持具構成用部材は側壁及び該側壁の外側に向けて突出した突出部を有し、
底板及び該底板から立設された側板を有し該側板の前記突出部と対向する位置に前記突出部に係合する開口が形成された組付部材に前記保持具構成用部材が組み付けられる際に、
前記保持具構成用部材の前記側壁の下面と前記組付部材の底板とが互いに当接して押圧し合い、前記開口よりも上方に配置された部分である開口上方部と前記開口との境界をなす縁部に前記突出部の上端面が当接し、且つ前記側板の上端に対して前記側壁が離間した状態となるように、前記保持具構成用部材が形成されていて、
前記側壁は、前記底板の法線方向に沿って前記突出部よりも上方に延在するように形成され、
前記底板及び前記側壁と直交し且つ前記突出部と交わる仮想平面内で、上方に向かうにつれ内側に傾くように、前記側壁の外側面が形成されていることを特徴とする保持具構成用部材。
【請求項６】
請求項５記載の保持具構成用部材において、
前記組付部材に前記保持具構成用部材が組み付けられる際に、
前記底板及び前記側壁と直交し且つ前記突出部と交わらない仮想平面内で、前記側板の下端部に対して離間した状態となるように、前記側壁の下端部が形成されていることを特徴とする保持具構成用部材。
【請求項７】
請求項５又は６記載の保持具構成用部材において、
前記組付部材に前記保持具構成用部材が組み付けられる際に、
前記底板及び前記側壁と直交し且つ前記突出部と交わる仮想平面内で、前記側板の下端部に対して離間した状態となるように、前記側壁の下端部が形成されていることを特徴とする保持具構成用部材。